(57)【要約】【課題】空調機械室の騒音が居室内に漏れるのを極力防止しつつも、空調機械室の省スペース化を図ることができ、これによって、レンタブル比を向上させることができる空気調和システムを提供する。【解決手段】空調機３が設置された空調機械室１をレタンチャンバとして用いるとともに、空調機械室１と居室２との間の境界壁を二重壁１０で構成して、当該二重壁１０の内部に、居室２から空調機械室１へと至るレタン空気の流路１１を二重壁１０の壁面に沿う方向に形成し、レタン空気の流路１１上に消音器１５を設けた。【選択図】　　　　図２
2004116950.tif 000002
【特許請求の範囲】
【請求項１】
空調機が設置された空調機械室をレタンチャンバとして用いるとともに、上記空調機械室と居室との間の境界壁を二重壁で構成して、当該二重壁の内部に、上記居室から上記空調機械室へと至るレタン空気の流路を当該二重壁の壁面に沿う方向に形成し、上記レタン空気の流路上に消音器を設けたことを特徴とする空気調和システム。
【請求項２】
上記二重壁を構成する上記居室側の壁体には、上記レタン空気として上記居室内の空気を吸い込む吸込口が設けられる一方、上記二重壁を構成する空調機械室側の壁体には、上記レタン空気を上記空調機械室に吹き出す吹出口が設けられ、これら吸込口と吹出口とが、上記二重壁の壁面に沿う方向に互いに離間する状態で配置されていることを特徴とする請求項１に記載の空気調和システム。
【請求項３】
上記吸込口が天井面の近傍に配置される一方、上記吹出口が床面の近傍に配置され、上記レタン空気の流路が鉛直方向に延びるように形成されていることを特徴とする請求項２に記載の空気調和システム。
【発明の詳細な説明】
【０００１】
【発明の属する技術分野】
本発明は、オフィスビルや商業ビル等の業務用建物に用いて好適な空気調和システムに関するものである。
【０００２】
【従来の技術】
オフィスビルや商業ビル等の業務用建物においては、大型の空調機が空調機械室に設置されることが多い。そして、この種の大型空調機に給気ダクトやレタン（還気）ダクトを接続する場合には、サイズの大きなダクトを空調機械室内で展開する必要があることから、空調機械室のスペースが自ずと大きくなり、その分コストも増大する傾向にある。また、このような場合においては、空調機械室内でダクトが錯綜し易く、例えば、上部にある配管やダクトに取り付けた機器等のメンテナンスを行う際に、作業性が悪くなるという問題点もある。
【０００３】
一方、空調機械室をレタンチャンバとして利用することで、レタンダクトを省略するようにした空気調和システムも知られている（例えば、特許文献１参照）。この種の空気調和システムにおいては、レタン空気の流路等を介して、空調機械室で発生した騒音が居室内に漏れないように、レタン空気の流入部等に消音手段を設ける必要がある。
【０００４】
図３は、上記消音手段として、レタン空気の流路となる迷路チャンバ２０を空調機械室１内に設けた例を示している。この迷路チャンバ２０は、水平面内において葛折り状に屈曲する状態で設けられている。そして、この迷路チャンバ２０を構成する各壁面には吸音材２１が貼設され、この吸音材２１によって、空調機械室１内で発生した騒音が当該迷路チャンバ２０を通過する過程で効率的に吸収されるようになっている。
【０００５】
【特許文献１】
特開平８−１５２１５９号公報（段落番号００１４〜００１６）
【０００６】
【発明が解決しようとする課題】
しかしながら、上記従来の空気調和システムにおいては、空調機３の設置スペースの他に、消音対策用のスペース（迷路チャンバ２０用のスペース）を空調機械室１内に確保しなければならないことから、オフィスビルや商業ビルなどの業務用建物に適用した場合に、上記消音対策用のスペースによって、レンタブル比（賃貸面積比）が悪化するという問題点があった。
【０００７】
本発明は、かかる事情に鑑みてなされたもので、空調機械室の騒音が居室内に漏れるのを極力防止しつつも、空調機械室の省スペース化を図ることができ、これによって、レンタブル比を向上させることができる空気調和システムを提供することを目的とする。
【０００８】
【課題を解決するための手段】
請求項１に記載の本発明に係る空気調和システムは、空調機が設置された空調機械室をレタンチャンバとして用いるとともに、上記空調機械室と居室との間の境界壁を二重壁で構成して、当該二重壁の内部に、上記居室から上記空調機械室へと至るレタン空気の流路を当該二重壁の壁面に沿う方向に形成し、上記レタン空気の流路上に消音器を設けたことを特徴とするものである。
【０００９】
請求項１に記載の本発明に係る空気調和システムによれば、空調機械室と居室との間の境界壁を二重壁で構成して、その内部にレタン空気の流路を形成するとともに、このレタン空気の流路上に消音器を設けるようにしたので、上記境界壁や上記レタン空気の流路を介して空調機械室から居室に伝わる騒音を大幅に減衰することができる。
しかも、レタン空気の流路を二重壁の壁面に沿う方向に形成したので、従来のように水平面内において葛折り状に屈曲するレタン空気の流路（迷路チャンバ）を空調機械室に形成する場合と比べて、空調機械室の省スペース化を図ることができる。また、空調機械室と居室との間の境界壁を二重壁で構成したことで、境界壁の壁際に空調機を近寄せても板振動による影響を受け難くなることから、境界壁と空調機との間隙を狭めることができ、その分、空調機械室の面積を縮小することができる。
したがって、請求項１に記載の発明によれば、空調機械室の騒音が居室内に漏れるのを極力防止しつつも、空調機械室の省スペース化を図ることができ、これによって、レンタブル比を向上させることができる。
【００１０】
また、空調機械室をレタンチャンバとして用いるようにしたので、レタンダクトが無い分、ダクトや配管等の点検スペースを確保するのが容易となり、また、ダクトどうしの錯綜も解消されることから、ダクトに取り付けた機器等のメンテナンス作業も行い易くなる。
さらに、レタン空気の流路を二重壁の内部に形成したので、従来のように迷路チャンバを空調機械室内に設ける場合と比べて、空調機械室におけるレイアウトの自由度を高めることもできる。
【００１１】
なお、上記消音器は、レタン空気の流路を介して空調機械室から居室に伝わる騒音を十分に減衰することが可能な消音器であれば、如何なる形式のものであってもよい。例えば、上記消音器として、レタン空気の流路を囲うようにグラスウール等の吸音材を配置してなる消音器を用いる場合には、吸音材の取付範囲や取付量を適宜に調整することによって、空調機械室から居室に伝わる騒音が許容値以下となるように、その消音性能を調整することが可能である。
【００１２】
請求項２に記載の発明は、請求項１に記載の空気調和システムにおいて、上記二重壁を構成する上記居室側の壁体には、上記レタン空気として上記居室内の空気を吸い込む吸込口が設けられる一方、上記二重壁を構成する空調機械室側の壁体には、上記レタン空気を上記空調機械室に吹き出す吹出口が設けられ、これら吸込口と吹出口とが、上記二重壁の壁面に沿う方向に互いに離間する状態で配置されていることを特徴とするものである。
なお、上記吸込口を設ける位置は、居室空間に面する壁面に限られるものではなく、例えば、天井内の壁面に上記吸込口を設けて、居室の天井面から吸い込んだ居室内の空気を、天井内の空間を経由して二重壁内に導くように構成することも可能である。
【００１３】
請求項２に記載の発明によれば、二重壁の壁面に沿う方向にレタン空気の流路を形成することができ、吸込口および吹出口を設ける位置に応じて、レタン空気の流路の長さを適宜に調整することができる。
【００１４】
請求項３に記載の発明は、請求項２に記載の空気調和システムにおいて、上記吸込口が天井面の近傍に配置される一方、上記吹出口が床面の近傍に配置され、上記レタン空気の流路が鉛直方向に延びるように形成されていることを特徴とするものである。
【００１５】
請求項３に記載の発明によれば、吸込口が天井面の近傍に配置されるので、什器や家具等によって吸込口が閉塞されるのを極力防止することができ、これによって、居室内のレイアウトの自由度を高めることができる。また、レタン空気の吹出口が床面の近傍に配置されるので、レタン空気の吹出口と空調機の吸入口とを近接配置することが可能になる。
そして、例えば、天井内に吸込口を設けるようにすれば、空調機械室に隣接して設けられた居室内の空気だけでなく、空調機械室から離れた位置にある居室内の空気を、天井内のダクトや空間（チャンバ）を介して吸込口に導くことも可能になる。
【００１６】
【発明の実施の形態】
図１および図２は、本発明に係る空気調和システムの一実施形態を示すもので、図中符号１が空調機械室である。
この空調機械室１の内部には単数または複数の空調機３が設置され、この空調機械室１に隣接するようにして、売場や事務所等の居室２が設けられている。これら居室２と空調機械室１との間の境界壁には二重壁１０が用いられ、この二重壁１０内の内部には、レタン空気（空調機３に戻る還気）の流路１１が当該二重壁１０の壁面に沿う方向に形成されている。
【００１７】
すなわち、上記二重壁１０を構成する一方の壁体（居室２側の壁体）１０ａには、図２に示すように、居室２内の空気（レタン空気）を吸入する吸込口１２が設けられる一方、上記二重壁１０を構成する他方の壁体（空調機械室１側の壁体）１０ｂには、二重壁１０の中空部内に流入したレタン空気を空調機械室１に吹き出す吹出口１３が設けられている。これら吸込口１２と吹出口１３とは上下方向に互いに離間する状態で設けられ、ここでは、吸込口１２が天井面４の近傍に、吹出口１３が床面５の近傍にそれぞれ配置されて、吸込口１２から吹出口１３へと至るレタン空気の流路１１が鉛直方向に延びるように形成されている。
【００１８】
また、上記二重壁１０の中空部には、上記レタン空気の流路１１に沿って薄型の消音器１５が配設されている。この消音器１５は、上面にレタン空気の流入口１６ａを有し側面下部にレタン空気の流出口１６ｂを有する筒状のケーシング１５ａと、このケーシング１５ａの内周面ほぼ全域を覆うように貼設された吸音材１５ｂとにより概略構成されている。ケーシング１５ａには、例えば亜鉛鉄板などのように、加工が容易で遮音性に優れた材料が用いられている。一方、吸音材１５ｂとしては、例えばグラスウール、ロックウール等の吸音材が用いられ、これら吸音材は、例えばガラスクロス等により表面を被覆された状態或いは周縁部を保持された状態で、ケーシング１５ａの内周面に着脱自在に取り付けられている。この消音器１５は、その高さ方向の寸法や吸音材１５ｂの取付量等に応じて、その消音性能を自由に調整することが可能となっている。
【００１９】
一方、空調機３は、上記二重壁１０と所定間隔（例えば、２００ｍｍ程度）を配した状態で空調機械室１内に設置されている。この空調機３の後部には、レタン空気の吸入口が設けられている。すなわち、本実施形態では、レタンダクトが省略されて、空調機械室１がレタン空気を受け入れるレタンチャンバとして機能するように構成されている。また、空調機３の上部には、調和空気を吐出する吐出口が設けられ、この吐出口には、二重壁１０を貫通して居室２の天井内へと延びる給気ダクト１４の始端部が接続されている。
【００２０】
上記構成からなる空気調和システムにおいて、居室２内の空気は、図２に示すように、天井面４の直下に設けられた吸込口１２より二重壁１０の内部に吸い込まれた後、当該二重壁１０内に形成されたレタン空気の流路１１に沿って流下し、当該流路途中に設けられた消音器１５の内部に流入する。消音器１５の内部を通過した空気は、二重壁１０の下部に設けられた吹出口１３から空調機械室１内に吹き出された後、空調機３の吸入口よりレタン空気として吸入される。空調機３に吸入されたレタン空気は、当該空調機３内部で温湿度調整や粉塵除去等の処理が行われた後、当該空調機３の吐出口から給気ダクト１４を介して居室２内へと供給される。これにより、居室２内が所望の温湿度状態および清浄状態に保たれることとなる。
【００２１】
一方、空調機械室１で発せられる騒音は、二重壁１０により進行を阻まれ、居室２内に到達する前段階で大幅に減衰されることとなる。すなわち、居室２と空調機械室１との間の境界壁が二重壁１０であり、当該二重壁１０の内部には空隙が設けられているために、上記騒音の大部分は、二重壁１０を構成する両壁体１０ａ、１０ｂと、これら壁体１０ａ、１０ｂの間に介在する空気層とに遮られて、居室２内への伝搬を阻止される。また、居室２から空調機械室１へと至るレタン空気の流路１１には消音器１５が配設されているので、レタン空気の流路１１を介して進行する騒音についても、その大部分が居室２まで到達することができずに、消音器１５の吸音材１５ｂにより吸収されることとなる。
【００２２】
以上のように、本実施形態の空気調和システムによれば、空調機械室１と居室２との間の境界壁を二重壁１０で構成して、その内部にレタン空気の流路１１を形成するとともに、このレタン空気の流路１１上に消音器１５を設けるようにしたので、壁体１０ａ、１０ｂやレタン空気の流路１１を介して空調機械室１から居室２に伝わる騒音を大幅に減衰することができる。
しかも、レタン空気の流路１１を二重壁１０の壁面に沿う方向に形成したので、従来のように水平面内において葛折り状に屈曲するレタン空気の流路（迷路チャンバ２０）を空調機械室１に形成する場合と比べて、空調機械室１の省スペース化を図ることができる。具体的に、本実施形態においては、従来の迷路チャンバ２０（図３）と比べて、消音対策用のスペースを約３５％以下に縮小することができる。また、空調機械室１と居室２との間の境界壁を二重壁１０で構成したことにより、境界壁の壁際に空調機３を近寄せても板振動による影響を受け難くなることから、図１および図３に示すように、境界壁と空調機３との間隙を狭めることができ（すなわち、従来の間隙がｄ２であるのに対して、本実施形態では間隙がｄ１となる。）、その分、空調機械室１の面積を縮小することができる。
【００２３】
したがって、空調機械室１の騒音が居室２内に漏れるのを極力防止しつつも、空調機械室１の省スペース化を図ることができ、これによって、レンタブル比を向上させることができる。
さらに、空調機械室１をレタンチャンバとして用いるようにしたので、レタンダクトが無い分、ダクトや配管等の点検スペースを確保するのが容易となり、また、ダクトどうしの錯綜も解消されることから、ダクトに取り付けた機器等のメンテナンス作業も行い易くなる。
また、レタン空気の流路１１を二重壁１０の内部に形成したので、従来のように迷路チャンバ２０を空調機械室１内に設ける場合と比べて、空調機械室１におけるレイアウトの自由度を高めることもできる。
【００２４】
そして、レタン空気の流路１１に沿って薄型の消音器１５を二重壁１０の内部に配設するようにしたので、消音器１５の高さ方向の寸法や吸音材１５ｂの取付範囲または取付量を調整することによって、消音器１５の消音性能を自由に調整することができる。
また、天井面４の直下に吸込口１２を設けるようにしたので、什器や家具等によって吸込口１２が閉塞されるのを極力防止することができ、その結果として、居室２内のレイアウトの自由度を高めることができる。
【００２５】
なお、本実施形態では、天井面４の近傍に吸込口１２を設け、床面５の近傍に吹出口１３を設けるようにしたが、これとは反対に、床面５の近傍に吸込口１２を設け、天井面４の近傍に吹出口１３を設けることも可能である。また、本実施形態では、吸込口１２と吹出口１３とを鉛直方向に互いに離間する状態で配置するようにしたが、例えば、壁面に沿う水平方向に互いに離間する状態で各々を配置することも可能である。
また、天井内に吸込口１２を設けるとともに、空調機械室１近傍の天井面４に室内空気の吸込口を設けて、図２の点線で示すように、天井内の空間を経由して居室２内の空気を二重壁１０内の流路１１に導くように構成することも可能である。
【００２６】
また、本実施形態では、居室２側の壁体１０ａと空調機械室１側の壁体１０ｂとにより二重壁１０を構成するようにしたが、それら両壁体１０ａ、１０ｂの間にリブ状の区画壁を設け、当該区画壁によりレタン空気の流路１１を二重壁１０の内部で屈曲させるように構成することにより、消音器１５の消音効果と同等の消音性能を発揮させることも可能である。
また、吸込口１２や吹出口１３の数は、レタン空気の流量等に応じて適宜に変更することが可能であり、その形状についても、例えば、矩形状、円形状、スリット状など、如何なる形状であってもよい。
【００２７】
【発明の効果】
以上説明したように、本発明に係る空気調和システムによれば、空調機械室の騒音が居室内に漏れるのを極力防止しつつも、空調機械室の省スペース化を図ることができ、レンタブル比を向上させることができる。
【図面の簡単な説明】
【図１】本発明に係る空気調和システムの一実施形態を示す平面図である。
【図２】図１の空気調和システムの要部構成を示す縦断面図である。
【図３】従来の空気調和システムの一例を示す平面図である。
【符号の説明】
１　　空調機械室
２　　居室
３　　空調機
１０　二重壁
１１　レタン空気の流路
１２　吸込口
１３　吹出口
１５　消音器
【図１】
2004116950.tif 000003
【図２】
2004116950.tif 000004
【図３】
2004116950.tif 000005